(57)【特許請求の範囲】
【請求項１】
電気コンタクトを有する絶縁ハウジングと、該絶縁ハウジングに回動可能に取り付けられたレバーとを備え、前記絶縁ハウジングに載置されるＩＣパッケージの電気コンタクトと前記絶縁ハウジング側の前記電気コンタクトとを前記レバーの回動操作により電気的に接続し或いは接続解除するＩＣソケットにおいて、
前記絶縁ハウジングの上面に真空式の吸着ノズルに吸着させるための吸着部材を着脱可能に取り付け、該吸着部材が、前記レバーの回動操作により押し上げられる延長部を有し、該延長部の変位により前記吸着部材が前記絶縁ハウジングから外れるよう構成されてなることを特徴とするＩＣソケット。
【発明の詳細な説明】
【０００１】
【発明の属する技術分野】
本発明は電気コネクタに関し、特に、ＩＣパッケージを低挿入力或いは零挿入力で絶縁ハウジングに載置して、絶縁ハウジングに軸支されたレバー操作により、ＩＣパッケージの電気コンタクトを絶縁ハウジング側の電気コンタクトに電気的に接続し、或いは接続後に再びレバーを操作して接続解除するＩＣソケットに関するものである。
【０００２】
【従来の技術】
従来、電気コネクタをプリント回路基板（以下、単に基板という）に実装するのに、実装工程において、装置側の真空吸着ノズルにより電気コネクタを吸着して持ち上げ、持ち上げた電気コネクタを基板の所定の位置まで移動させて基板上に載置することが行われている。このような電気コネクタの一例として、例えば、実開平５−３１１８８号公報に開示された吸着対応型コネクタが知られている。この従来技術では、プラグコネクタおよびレセプタクルコネクタが開示されており、各々のコネクタに吸着補助具（吸着部材）が設けられ、この吸着補助具を真空吸着ノズルで吸着するようになっている。これらの吸着補助具は、いずれも上方に向く平坦な吸着面を有しており、コネクタの嵌合口に装着されるか、或いは、コネクタと一体に嵌合口に切り離し可能に成形されている。これらの吸着補助具は、コネクタが基板にはんだ付けされた後に、通常、指で取り外される。
【０００３】
【発明が解決しようとする課題】
上記、従来技術に開示されたように、吸着補助具は、吸着ノズルを用いて基板に取り付ける際にのみ使用されるものであり、電気コネクタを基板に取り付けた後は指で取り外している。しかし、吸着取付具の吸着面は吸着しやすいように平坦に形成されているので、手作業による取り外しがしにくく、作業性が悪いという問題があった。
【０００４】
本発明は、以上の点に鑑みてなされたものであり、絶縁ハウジングを基板に取り付けた後に、吸着部材の取り外しを容易に行うことができるＩＣソケットを提供することを目的とするものである。
【０００５】
【課題を解決するための手段】
本発明のＩＣソケットは、電気コンタクトを有する絶縁ハウジングと、この絶縁ハウジングに回動可能に取り付けられたレバーとを備え、絶縁ハウジングに載置されるＩＣパッケージの電気コンタクトと絶縁ハウジング側の電気コンタクトとをレバーの回動操作により電気的に接続し或いは接続解除するＩＣソケットにおいて、絶縁ハウジングの上面に真空式の吸着ノズルに吸着させるための吸着部材を着脱可能に取り付け、吸着部材が、レバーの回動操作により押し上げられる延長部を有し、この延長部の変位により吸着部材が絶縁ハウジングから外れるよう構成されてなることを特徴とするものである。
【０００６】
【発明の効果】
本発明のＩＣソケットは、絶縁ハウジングの上面に真空式の吸着ノズルに吸着させるための吸着部材を着脱可能に取り付けており、この吸着部材が、絶縁ハウジングに回動可能に取り付けられたレバーの回動操作により押し上げられる延長部を有し、この延長部の変位により吸着部材が絶縁ハウジングから外れるよう構成されているので、次の効果を奏する。
【０００７】
即ち、基板へコネクタを組み付けた後、ＩＣパッケージを取り付けるためにレバーの回動操作をすることにより、吸着部材の延長部がレバーにより持ち上げられて吸着部材が簡単に外れるので、取り外し作業を省略でき作業性が向上する。
【０００８】
【発明の実施の形態】
以下、本発明のＩＣソケットの好ましい実施の形態について添付図面を参照して詳細に説明する。図１は、吸着部材を装着した本発明のＩＣソケットの平面図、図２は、図１のＩＣソケットの正面図、図３は、図１のＩＣソケットをレバー側から見た側面図を夫々示す。以下、図１から図３を参照して説明する。
【０００９】
ＩＣソケット１は、絶縁性の本体２と、この本体２の上面４に載置されて、上面４上を摺動するよう構成された上部ハウジング６とからなる矩形形状の絶縁ハウジング３を有する。ＩＣソケット１は、さらに上部ハウジング６を摺動させるためのレバー８とを有する。上部ハウジング６には、この上部ハウジング６に載置される図示しないＩＣパッケージのピン状電気コンタクトが挿通される、マトリックス状に配置された多数の円形の貫通孔１０（図１）を有する。
【００１０】
また、上部ハウジング６は、本体２の外側に沿って延びる側壁１２、１２を有する。各側壁１２には、上部ハウジング６の摺動方向に沿って延びる複数の矩形の長穴１４が形成され、この長穴１４が本体２の対応する突起１６（図３）と係合して、上部ハウジング６が本体２に対して、図１における上下方向に摺動可能に取り付けられている。
【００１１】
また、本体２には、前述の貫通孔１０に対応して多数の電気コンタクト２２が配置されている。各電気コンタクト２２は、図示しない基板に、はんだ付けされるはんだボール２４を各電気コンタクト２２の下端に有している。そして本体２の上面４の端部には複数のブロック状の突出部２６、２８、３０（図１）が形成されており、これらの突出部２６、２８、３０によりレバー保持溝３２が形成されている。
【００１２】
他方、レバー８は、図１に示すように、Ｌ字状の金属製の棒状部材から構成されており、一側の操作部８ａを前述の本体２の側壁１２側に配置し、他側をレバー保持溝３２に配置して、他側をレバー８を回動するための支軸８ｂとしている。この支軸８ｂには、支軸８ａを部分的に偏移させたカム軸８ｃが一体に形成されており、このカム軸８ｃと上部ハウジング６とが係合して、レバー８の回動操作により上部ハウジング６が本体２に対して摺動するように構成されている。このような手法は、従来一般的に行われていることなので、ここでは、詳細な説明は省略する。
【００１３】
上部ハウジング６の中央には矩形の開口３４（図１）が形成されており、この矩形の開口３４には、樹脂製の吸着部材３６が装着されている。即ち、吸着部材３６は、絶縁ハウジング３の上面５に取り付けられている。この吸着部材３６について、図４を合わせて参照して説明する。図４は、ＩＣソケットに使用される吸着部材３６の側面図である。吸着部材３６は、上面側に略矩形の平坦な吸着面３８を有し、下面側には本体２の開口３４に着脱可能にラッチ係合する４つのラッチアーム４０（図４）が突設されている。このラッチアーム４０は、開口３４の内縁に係合する位置に突設されている。
【００１４】
また吸着部材３６は、吸着面３８に連続して側方に延出する舌片（延長部）４２を一体に有している。この舌片４２は、レバー８の操作部８ａの上まで延出しており、レバー８を上方即ち図３において、矢印Ａ方向に回動させると、舌片４２はレバー８の回動軌跡内にあるので、レバー８の操作部８ａが舌片４２を上方に押し上げることになる。この舌片４２の変位により吸着部材３６が持ち上げられてラッチ係合が解除され、ラッチアーム４０と開口３４との係合が外れる。これによって、吸着部材３６を指を使用して外すことなく、レバー操作により簡単に取り外すことができる。この操作により、上部ハウジング６が、図１において上方に僅かに移動して、ＩＣパッケージの電気コンタクトと本体２の電気コンタクト２２が互いに接続しやすい位置になるように本体２と整列する。
【００１５】
上記のレバー操作は、ＩＣパッケージを絶縁ハウジング３の上面５に取り付ける準備のために必ず行われるものである。従って、ＩＣパッケージを取り付ける為の一連の操作の中から、舌片４２を指で取り外す操作（工程）を省略することができる。そしてレバー８が本体２の上面４と略直角に上方に回動された後、吸着部材３６が取り外された上部ハウジング６にＩＣパッケージを低挿入力或いは零挿入力で載置される。しかる後、レバー８が再度図１に示す位置まで回動されて、ＩＣパッケージの電気コンタクトと、ＩＣソケット１の電気コンタクト２２が電気的に接続される。この、レバーを使用した電気的接続構造は、この種の電気コネクタでは一般にＬＩＦ（Low Insertion Force）或いはＺＩＦ（Zero Insertion Force）コネクタとしてよく知られていることであるので詳細な説明は省略する。
【００１６】
このように、ＩＣパッケージをＩＣソケット１に取り付ける前に、ＩＣパッケージを取り付けるためのレバー８の回動操作により、容易に外すことができるので、吸着部材３６をあえて指で取り外す必要がなく、作業を効率よく行うことができる。
【００１７】
なお、吸着部材及び絶縁ハウジングの係合は、ラッチ係合の他に実開平５−３１１８８号公報に開示されているような摩擦係合、或いは粘着テープによる粘着であってもよい。
【００１８】
また、舌片４２をレバーの操作部８ａの自由端よりに配置すると、舌片４２の変位量をより大きくし、レバー８の回動の初期段階で吸着部材３６を取り外すことができる。或いは、舌片４２をレバー８の支軸８ｂよりに配置すると、舌片４２の取り外しに要する力を低減することができる。
【図面の簡単な説明】
【図１】吸着部材を装着した本発明のＩＣソケットの平面図
【図２】図１のＩＣソケットの正面図
【図３】図１のＩＣソケットをレバー側から見た側面図
【図４】図１のＩＣソケットに使用される吸着部材の側面図
【符号の説明】
１    ＩＣソケット
３    絶縁ハウジング
５    上面
８    レバー
２２    電気コンタクト
３６    吸着部材
４０    ラッチアーム
４２    舌片（延長部）
【図１】
0003670245.tif 000002
【図２】
0003670245.tif 000003
【図３】
0003670245.tif 000004
【図４】
0003670245.tif 000005